【手続補正書】
【提出日】平成20年7月25日(2008.7.25)
【手続補正１】
【補正対象書類名】特許請求の範囲
【補正対象項目名】請求項１
【補正方法】変更
【補正の内容】
【請求項１】
１周期期間内において複数の走査信号線を順次走査することにより表示を行う表示装置において、
前記走査信号線と交差する複数のデータ信号線と、
前記データ信号線に接続された画素電極と、
前記画素電極に対向配置され、前記周期期間毎に印加電圧の極性が反転される対向電極と
を備え、
前記画素電極の各々に接続されたＴＦＴ素子を備え、
前記ＴＦＴ素子のゲート端子は走査信号線に接続され、ソース端子はデータ信号線に接続され、ドレイン端子は画素電極に接続され、
前記１周期期間は、走査信号線を一巡走査する走査期間と、走査信号線が走査されない非走査期間とを含み、
前記非走査期間において、前記ＴＦＴのゲート端子・ドレイン端子間電圧の絶対値を所定電圧以上に保持し、対向電極への印加電圧の極性反転による、画素電極電位と非走査時のゲート端子電位との電位差の減少を低減することを特徴とする、表示装置。
【手続補正２】
【補正対象書類名】明細書
【補正対象項目名】０００４
【補正方法】変更
【補正の内容】
【０００４】
ＴＦＴ駆動による表示装置では、ゲート信号によって各画素のＴＦＴを順次走査して選択駆動することで表示を行う走査期間と、各画素のＴＦＴの駆動を行わない非走査期間の２つの期間を含む場合がある。
【手続補正３】
【補正対象書類名】明細書
【補正対象項目名】０００５
【補正方法】変更
【補正の内容】
【０００５】
図１６は、走査期間と非走査期間を含む周期駆動における対向電極の電圧波形の反転を説明するための図である。図１６において、走査期間と非走査期間によって後述するフィールドシーケンシャルカラー表示方式の１サブフレームが構成される。なお、フレーム、サブフレーム、フィールドという用語はほぼ同じ意味で使われる。
【手続補正４】
【補正対象書類名】明細書
【補正対象項目名】００１０
【補正方法】変更
【補正の内容】
【００１０】
このようなリーク電流の発生を抑えるには、例えばＮ型ＴＦＴ素子の場合、対向電極あるいはソース線の電圧の振幅を小さくすることによって、データ保持時（ゲートオフ期間）のゲート・ドレイン間電圧の絶対値を一定値以上にしなければならない。しかしながら、このように対向電極あるいはソース線の電圧の振幅を小さくすると、十分なコントラストが得られないという問題が発生する。
【手続補正５】
【補正対象書類名】明細書
【補正対象項目名】００１１
【補正方法】変更
【補正の内容】
【００１１】
カラー液晶表示の方式として、異なる波長の複数の光を所定周期で順次発光すると共に、この光源の発光タイミングに同期して液晶を駆動させることでカラー表示を行うフィールドシーケンシャルカラー（以下ＦＳＣと略記する）方式が知られているが、このＦＳＣ方式では、液晶の高速応答が求められ、そのために高電圧を印加する必要があるため、前述したように、対向電極あるいはソース線の電圧の振幅を低下させることでリーク電流の発生を抑えた場合には、良好なコントラストが得られないという問題がより顕著となる。
【手続補正６】
【補正対象書類名】明細書
【補正対象項目名】００１４
【補正方法】変更
【補正の内容】
【００１４】
対向電極の電圧波形の極性反転時にリーク電流が発生するのは、対向電極の電圧波形の極性反転によって、画素電圧電位がシフトしゲートオフ電位に近づき、ＴＦＴ素子のゲート・ドレイン間電圧の絶対値が小さくなるためである。
【手続補正７】
【補正対象書類名】明細書
【補正対象項目名】００１５
【補正方法】変更
【補正の内容】
【００１５】
本発明は、上記知見に基づいて、対向電極の電圧波形の極性が反転した際に、ＴＦＴ素子のゲート・ドレイン間電圧の絶対値が小さくならいないようにすることで、リーク電流の発生を抑制するものである。
【手続補正８】
【補正対象書類名】明細書
【補正対象項目名】００１６
【補正方法】変更
【補正の内容】
【００１６】
図１は、周期期間内でのＮ型ＴＦＴのゲート・ドレイン間電圧を説明するための図である。
【手続補正９】
【補正対象書類名】明細書
【補正対象項目名】００１９
【補正方法】変更
【補正の内容】
【００１９】
図１において、ゲート・ドレイン間電圧Ｖgdは、ゲート信号１０１と画素電位（ドレイン電位）１０４との間の電位差である。ソース電位１０２は所定の範囲から選択されるため、画素電位（ドレイン電位）１０４もある範囲（図１中で太い破線で示す画素電位１０４Ｈと、太い実線で示す画素電位１０４Ｌの間の範囲）を持つ。
【手続補正１０】
【補正対象書類名】明細書
【補正対象項目名】００２０
【補正方法】変更
【補正の内容】
【００２０】
リーク電流は、画素電位（ドレイン電位）がゲートオフ電位に近い電位のものがより流れ易いため、ここでは、リーク電流に係わるゲート・ドレイン間電圧Ｖgdとして、太い破線で示される画素電位（ドレイン電位）１０４Ｈに注目し、この画素電位（ドレイン電位）１０４Ｈとゲート信号１０１との間の電位差が考慮すべき事項となる。
【手続補正１１】
【補正対象書類名】明細書
【補正対象項目名】００２３
【補正方法】変更
【補正の内容】
【００２３】
図３（ａ）は対向電極電位（Ｖcom）１０３がハイレベルの場合を示している。このとき、ゲートオン期間（図３（ａ）中の丸付き数字２）ではＴＦＴがオン状態となって、ドレイン端子とソース端子との間に電流Ｉsdが流れ、画素電極への充電が行われる。また、ゲートオフ期間（図３（ａ）中の丸付き数字１，丸付き数字３）ではＴＦＴがオフ状態となり、画素電極に蓄積された電荷がドレイン端子およびソース端子を通ってソース線への流出が抑えられる。
【手続補正１２】
【補正対象書類名】明細書
【補正対象項目名】００２５
【補正方法】変更
【補正の内容】
【００２５】
そこで、本出願の発明者は、上述したゲート・ドレイン間電圧Ｖgdとソース・ドレイン間電流Ｉsdとの関係に基づいて、非走査期間において、ゲート・ドレイン間電圧Ｖgdが零付近から離れるようにすることで、より詳細には、Ｎ型ＴＦＴ素子の場合ゲート・ドレイン間電圧Ｖgdが負の方向に大きくなるようにすることで、リーク電流の発生を抑制できることを見出した。
【手続補正１３】
【補正対象書類名】明細書
【補正対象項目名】００２７
【補正方法】変更
【補正の内容】
【００２７】
本発明の表示装置は非走査期間において、ゲート・ドレイン間電圧の絶対値を所定電圧以上に保持する。これによって、対向電極への印加電圧の極性反転によって生じる画素電極電位とゲートオフ電位との電位差の近接を低減する。
【手続補正１４】
【補正対象書類名】明細書
【補正対象項目名】００２８
【補正方法】変更
【補正の内容】
【００２８】
ここで、本発明の表示装置は、ゲート・ドレイン間電圧の絶対値を所定電圧以上に保持する一態様として、非走査期間において、走査期間における周期期間毎の対向電極の電圧の極性反転にかかわらず、対向電極に印加する電圧の極性を何れか一方に固定する態様を備える。
【手続補正１５】
【補正対象書類名】明細書
【補正対象項目名】００２９
【補正方法】変更
【補正の内容】
【００２９】
この態様では、対向電極の印加電圧の極性を固定することにより、走査期間から非走査期間に切り替わる際に、対向電極の印加電圧の極性の変化に伴ってゲートオフ電位に近づかないようにする。より具体的には、Ｎ型ＴＦＴ素子の場合対向電極の電圧波形の極性をゲート・ドレイン間電圧Ｖgdが負の方向に大きくなるよる極性に固定する。これによって、走査期間における対向電極の電圧波形の極性反転にかかわらず、非走査期間においてリーク電流の発生を抑制する。
【手続補正１６】
【補正対象書類名】明細書
【補正対象項目名】００３２
【補正方法】変更
【補正の内容】
【００３２】
本発明の表示装置は、ゲート・ドレイン間電圧の絶対値を所定電圧以上への保持は、他の態様によっても行うことができる。この他の態様は、非走査期間において、対向電極に印加する電圧の極性の反転に伴ってゲート電極に印加する電圧を変更することで、走査期間から非走査期間に切り替わる際に、対向電極の印加電圧の極性の変化に伴う画素電極の電位の変化に対してゲート電極の電位を変更し、これにより、非走査期間内では、画素電極の電位がゲートオフ電位に常に近づかないようにする。
【手続補正１７】
【補正対象書類名】明細書
【補正対象項目名】００３６
【補正方法】変更
【補正の内容】
【００３６】
なお、上述した１周期期間は複数のフレームを含んでも良い。フィールドシーケンシャルによる液晶駆動において、１周期期間を３つのサブフレームとし、１つの画像を表示するフィールド期間又はフレーム期間とすることができ、周期期間内の走査期間において複数のデータ信号線にサブフレームに応じたデータ信号を順次印加する。
【手続補正１８】
【補正対象書類名】明細書
【補正対象項目名】００５２
【補正方法】変更
【補正の内容】
【００５２】
以下、本発明の表示装置のゲート・ドレイン間電圧の絶対値を所定電圧以上に保持する一態様を説明する。この態様は、非走査期間において、走査期間における周期期間毎の対向電極の電圧の極性反転にかかわらず、対向電極に印加する電圧の極性を何れか一方に固定する態様である。
【手続補正１９】
【補正対象書類名】明細書
【補正対象項目名】００６７
【補正方法】変更
【補正の内容】
【００６７】
次に、本発明の表示装置のゲート・ドレイン間電圧の絶対値を所定電圧以上に保持する別の態様を説明する。この態様は、非走査期間において、対向電極に印加する電圧の極性の反転に伴ってゲート電極に印加する電圧を変更することで、走査期間から非走査期間に切り替わる際に、対向電極の印加電圧の極性の変化に伴う画素電極の電位の変化に対してゲート電極の電位を変更し、これによって、非走査期間内では、画素電極の電位がゲートオフ電位に常に近づかないようにするものである。